(57)【要約】【課題】配線工事を不要とし、誤配線や断線のない温水暖房システムを提供する。【解決手段】放熱器２と温水熱源機１間の相互の運転制御信号のやり取りを放熱側無線送受信部２f及び熱源側無線送受信部１ｅを介して行うとともに、熱源制御部１ｄには予め登録した温水熱源機登録番号を有し、試運転時に前記温水熱源機登録番号とともに運転指示信号を熱源側無線送受信部１ｅより送信して前記放熱器２の運転を開始させ、前記放熱制御部２ｅは感熱体２ａが温度上昇を検知すると前記温水熱源機登録番号を記憶するようにしてある。【選択図】図１
2005134108.tif 000002
【特許請求の範囲】
【請求項１】
発熱体からの熱で水の温度を上昇させる温水熱交換器、温水を搬送するポンプ、前記発熱体と前記ポンプを制御する熱源制御部及び前記熱源制御部の指示で動作する熱源側無線送受信部を有する温水熱源機と、室内の温度を検出する感熱体、弁を介して供給される温水と熱交換し室内の空気を上昇させる空気熱交換器、前記感熱体の情報により前記弁を制御する放熱制御部及び前記放熱制御部の指示で動作する放熱側無線送受信部を有する放熱器と、前記温水熱源機と放熱器とを接続する温水配管とで構成する温水暖房システムであって、前記放熱器と温水熱源機間の相互の運転制御信号のやり取りを前記放熱側無線送受信部及び熱源側無線送受信部を介して行うとともに、前記熱源制御部には予め登録した温水熱源機登録番号を有し、試運転時に前記温水熱源機登録番号とともに運転指示信号を熱源側無線送受信部より送信して前記放熱器の運転を開始させ、前記放熱制御部は前記感熱体が温度上昇を検知すると前記温水熱源機登録番号を記憶するようにした温水暖房システム。
【発明の詳細な説明】
【技術分野】
【０００１】
本発明は、熱源機からの温水を循環させて暖房を行なう温水暖房システムに関する。
【背景技術】
【０００２】
図４に従来の温水暖房システム図を示す。温水熱源機４の内部にある熱源制御部４ａとＡ室放熱器５の内部にある放熱制御部５ａおよびＢ室放熱器６の内部にある放熱制御部６ａとが直接リード線接続されている。
【０００３】
すなわち、この種の温水暖房システムは、温水熱源機と放熱器とは２〜３本の有線で接続され、起動、停止、温度変更要求、開弁指示及び運転モニター信号等は有線の電気信号によって互いに送受信していた。
【発明の開示】
【発明が解決しようとする課題】
【０００４】
一般家庭用のこの種の温水暖房システムは、温水熱源機１台に対し４〜５台程度の放熱器を接続するのが一般的で、この場合合計１０〜２０本程度の繁雑な配線工事が必要であった。また、配管と配線をきちんと一対一に対応しないと各部屋の温度制御が正確に行えなくなるため、往きと戻りの２本の配管と３本のリード線を同じ鞘管の中に入れたペアーチューブと呼ばれるものが使用されるが、全ての放熱器からの配管と配線が集中する温水熱源機部で誤配線しやすいという問題点を有し、また、配管が樹脂製のペアーチューブでは、配管とリード線の熱膨張係数の違いによりペアーチューブ内のリード線が断線してしまうという問題点を有していた。
【課題を解決するための手段】
【０００５】
本発明の温水暖房システムにおいては、放熱器と温水熱源機間の相互の運転制御信号のやり取りを放熱側無線送受信部及び熱源側無線送受信部を介して行うとともに、熱源制御部には予め登録した温水熱源機登録番号を有し、試運転時に前記温水熱源機登録番号とともに運転指示信号を熱源側無線送受信部より送信して前記放熱器の運転を開始させ、前記放熱制御部は感熱体が温度上昇を検知すると前記温水熱源機登録番号を記憶するようにしたものである。
【０００６】
上記発明によれば、繁雑な配線工事が不必要になるばかりでなく、リード線の断線等の心配がなくなる。さらに、他の無線信号による誤動作もなくすことができる。
【発明の効果】
【０００７】
本発明の温水暖房システムによれば、繁雑な配線工事を必要とせず誤配線の心配がないばかりか、ペアーチューブ内のリード線の断線の心配をなくすことができる。しかも、１台の温水熱源機に対し複数の放熱器を接続した場合、放熱器ごとのコード番号の登録といった煩雑な作業を必要とせず、他の無線信号による誤動作もなくすことができる。
【発明を実施するための最良の形態】
【０００８】
本発明の第１の実施の形態による温水暖房システムは、発熱体からの熱で水の温度を上昇させる温水熱交換器、温水を搬送するポンプ、前記発熱体と前記ポンプを制御する熱源制御部及び前記熱源制御部の指示で動作する熱源側無線送受信部を有する温水熱源機と、室内の温度を検出する感熱体、弁を介して供給される温水と熱交換しファンの送風により室内の空気を上昇させる空気熱交換器、前記感熱体の情報により前記弁とファンを制御する放熱制御部及び前記放熱制御部の指示で動作する放熱側無線送受信部を有する放熱器と、前記温水熱源機と放熱器とを接続する温水配管とで構成する温水暖房システムであって、前記放熱器と温水熱源機間の相互の運転制御信号のやり取りを前記放熱側無線送受信部及び熱源側無線送受信部を介して行うとともに、前記熱源制御部には予め登録した温水熱源機登録番号を有し、試運転時に前記温水熱源機登録番号とともに運転指示信号を熱源側無線送受信部より送信して前記放熱器の運転を開始させ、前記放熱制御部は前記感熱体が温度上昇を検知すると前記温水熱源機登録番号を記憶するようにしたことを特徴とするものである。
【０００９】
そして、繁雑な配線工事を必要とせず誤配線の心配がなくなるばかりでなく、ペアーチューブ内のリード線の断線の心配がなくなる。さらに、他の無線信号による誤動作もなくすことができる。
【００１０】
以下、本発明の一実施例における温水暖房システムについて図面とともに説明する。
【００１１】
（実施の形態１）
図１は本発明の実施の形態１における温水暖房システム図を示し、温水熱源機１は、発熱体１ａからの熱で水の温度を上昇させる温水熱交換器１ｂと温水を搬送するポンプ１ｃと発熱体１ａとポンプ１ｃを制御する熱源制御部１ｄと熱源制御部１ｄの指示で動作する熱源側無線送受信部１ｅとを有する。
【００１２】
Ａ室放熱器２は室内の温度を検出する感熱体２ａと温水を受けて室内の空気を上昇させる空気熱交換器２ｂとその暖められた空気を室内に送風するファン２ｃと温水の開閉とその流量を制御する弁２ｄとを備え、感熱体２ａの情報により空気熱交換器２ｂとファン２ｃと弁２ｄとを制御する放熱制御部２ｅと放熱制御部２ｅの指示で動作する放熱側無線送受信部２ｆとを有する。
【００１３】
Ａ室放熱器２と全く同じ構成を有するＢ室放熱器３は温水熱源機１に対して、Ａ室放熱器２と並列接続されている。たとえば、Ａ室の使用者がＡ室放熱器２に運転指示を与えると、放熱制御部２ｅは弁２ｄを開けファン２ｃを回すと同時に放熱側無線送受信部２ｆより運転指示信号を電波で発信する。
【００１４】
その運転指示信号を熱源側無線送受信部１ｅで受けた熱源制御部１ｄは、発熱体１ａを駆動しポンプ１ｃにて温水の搬送を始めるとともに、運転指示信号を受け付けて温水熱源機１が運転状態に入ったという信号を熱源側無線送受信部１ｅより電波で発信する。
【００１５】
やがてＡ室の室温が上がってくると、放熱制御部２ｅは感熱体２ａにて室温上昇を検知しファン２ｃの出力を落としたり、弁２ｄで温水流量を絞ったりするとともに、放熱側無線送受信部２ｆより温水温度低下指示信号を電波で発信する。
【００１６】
その設定温度低下指示信号を熱源側無線送受信部１ｅで受けた熱源制御部１ｄは、発熱体１ａの出力を低下させ、温水温度を下げる。
【００１７】
次にＡ室の室温が所定の温度より低下してくると、放熱制御部２ｅは逆に感熱体２ａにて室温低下を検知しファン２ｃの出力を上げたり、弁２ｄで温水流量を増大させたりするとともに、放熱側無線送受信部２ｆより温水温度上昇指示信号を電波で発信する。
【００１８】
その温水温度上昇指示信号を熱源側無線送受信部１ｅで受けた熱源制御部１ｄは、発熱体１ａの出力を上昇させ、温水温度を上げる。このような繰り返しでＡ室の室温制御を行う。
【００１９】
全く同様な制御方式でＢ室放熱器３にてＢ室の室温制御を並行して行うことができる。
【００２０】
本実施の形態では、Ａ室とＢ室の２部屋の暖房のみを行っているが、発熱体１ａの出力やポンプ１ｃの能力が許される限り、放熱器の台数を増やして構わない。
【００２１】
上述した温水暖房システムでは、冬場の凍結予防として熱源制御部１ｄはどの放熱器からも運転指示信号を受けていないときに温水温度の極端な低下を検知すると、ポンプ１ｃを駆動させ場合によっては発熱体１ａを駆動させるとともに、熱源側無線送受信部１ｅより開弁指示信号を電波で出し、それを各放熱側無線送受信部（たとえば２ｆ）で受けた各放熱制御部（たとえば２ｅ）では弁（たとえば２ｄ）を開弁させる。
【００２２】
このように、放熱器から温水熱源機への起動、停止および温度変更要求等の信号や、温水熱源機から放熱器への開弁指示や運転モニター信号等の送受信を電波で行う温水暖房システムでは、同様なシステムが隣家にあった場合、たとえば、放熱側無線送受信部２ｆより発信され運転指示信号により隣家の温水熱源機が動作してしまわないかという危惧に対しては、以下のように解決する。
【００２３】
本温水暖房システムの施工試運転時に、施工者が熱源制御部１ｄに試運転指示を与えると、熱源制御部１ｄは工場出荷時にあらかじめ登録された重複することのない温水熱源機登録番号とともに試運転指示信号を熱源側無線送受信部１ｅより電波で発信する。
【００２４】
すると、電波の届く範囲にある全ての放熱器は放熱側無線送受信部（たとえば２ｆ）より受信し、放熱制御部（たとえば２ｅ）は温水熱源機登録番号を記憶するとともにファン（たとえば２ｃ）を駆動させ、弁（たとえば２ｄ）を開弁させて試運転状態に入る。
【００２５】
もし、温水配管が接続されていない隣家の温水熱源機からの信号であれば、いつまでたっても温水が到達しない。もし、温水配管が接続されている温水熱源機からの信号であればやがて温水が空気熱交換器（たとえば２ｂ）に到達し、感熱体（たとえば２ａ）より温度上昇を検知することができる。
【００２６】
放熱制御部（たとえば２ｅ）は温度上昇を検知した温水熱源機の登録番号を永久に記憶し、試運転完了後の通常運転では、放熱側無線送受信部（たとえば２ｆ）より運転指示信号発信時に同時に記憶した温水熱源機の登録番号も送信する。
【００２７】
熱源制御部１ｄは熱源側無線送受信部１ｅより受けたその信号が自分の温水熱源機の登録番号と合致するかどうかで暖房運転を行うかどうかを判断する。
【００２８】
このようにすれば、隣家の温水熱源機が動作してしまうことはない。
【００２９】
（実施の形態２）
図２は本発明の実施形態２における温水暖房システム図を示す。図４で示した従来の温水熱源機４とＡ室放熱器５およびＢ室放熱器６はそのままで、熱源側無線送受信部７を温水熱源機４の外部に、Ａ室用放熱側無線送受信部８をＡ室放熱器５の外部に、Ｂ室用放熱側無線送受信部９をＢ室放熱器６の外部に取りつけ、熱源側無線送受信部７は熱源制御部４ａと、Ａ室用放熱側無線送受信部８は放熱制御部５ａと、Ｂ室用放熱側無線送受信部９は放熱制御部６ａとそれぞれ従来の直接リード線接続用端子を利用して有線接続されており、熱源側無線送受信部７は熱源制御部４ａから、Ａ室用放熱側無線送受信部８は放熱制御部５ａから、Ｂ室用放熱側無線送受信部９は放熱制御部６ａから電源供給を受けて、請求項１記載に係る発明の実施の形態の温水暖房システムと同様の動作を行う。しかも、図４の様な有線接続式の温水暖房システムで使用途中、たとえば２〜３年後にペアーチューブ内のリード線が断線した場合、有線接続式で修復するにはペアーチューブの交換が必要となる。ペアーチューブは、家屋の床下や、天井裏に配してあるのが一般的で、これを交換するには、床板をはがしたり、天井裏へ上がったりする必要があり多大な労力と費用を要する。それに対して、ペアーチューブ内のリード線が断線しても、図２の様な温水暖房システムに途中から変更することで修復可能となり、多大な労力と費用を必要としない。
【００３０】
（実施の形態３）
図３は本発明の実子の形態３における温水暖房システム図である。温水熱源機４、熱源制御部４ａ、熱源側無線送受信部７およびそれらの接続は請求項２記載に係る発明の実施の形態の温水暖房システムと同じであるが、Ａ室１０にある放熱器は床暖房用のパネル１０ａであり、放熱制御部を持たないので、弁１１は熱源制御部４ａに接続され、Ａ室内の温度検出および起動、停止等の信号の発信のためＡ室内の壁に床暖房用リモコン１２を取りつけ、床暖房用リモコン１２は独自の電源として電池電源１２ａを持つ。Ｂ室１３についても同様にシステムを組み、請求項２記載に係る発明の実施の形態の温水暖房システムと同様の動作を行う。また、図２の様な温水暖房システムで、放熱制御部５ａや６ａに放熱側無線送受信部８や９への電源供給能力がなかったり、物理的理由で電源供給が不能であるときでも、放熱側無線送受信部８や９の内部に電池電源をもつことで図２の様な、温水暖房システムが構築できる。
【産業上の利用可能性】
【００３１】
以上のように、本発明にかかる温水暖房システムは、温水熱源機と放熱器との運転制御信号のやり取りをそれぞれに設けた無線送受信装置を介して行うようにしているため、繁雑な配線工事を必要とせず誤配線の心配がないばかりか、ペアーチューブ内のリード線の断線の心配をなくすことができるので、家庭用、業務用の温水暖房システム等の用途に適用できる。
【図面の簡単な説明】
【００３２】
【図１】本発明の実施の形態１における温水暖房システムの構成図
【図２】本発明の実施の形態２における温水暖房システムの構成図
【図３】本発明の実施の形態３における温水暖房システムの構成図
【図４】従来の温水暖房システムの構成図
【符号の説明】
【００３３】
１  温水熱源機
１ａ  発熱体
１ｂ  温水熱交換器
１ｃ  ポンプ
１ｄ  熱源制御部
１ｅ  熱源側無線送受信部
２  Ａ室放熱器
２ａ  感熱体
２ｂ  空気熱交換器
２ｃ  ファン
２ｄ  弁
２ｅ  放熱制御部
２ｆ  放熱側無線送受信部
３  Ｂ室放熱器
【図１】
2005134108.tif 000003
【図２】
2005134108.tif 000004
【図３】
2005134108.tif 000005
【図４】
2005134108.tif 000006